(57)【要約】【課題】どの施設がＥＴＣシステムを利用できる施設かを容易に判断可能にする「ナビゲーション装置および施設検索方法」を提供する。【解決手段】ＥＴＣカード１００がＥＴＣ車載機５０に装着されているか否かを判定する装着判定部５２と、入力された条件に合致する１以上の施設を検索し、検索された１以上の施設を、装着判定部５２による判定結果に応じた態様で表示装置２６に表示するように制御するＣＰＵ１６とを設け、ＥＴＣカード１００がＥＴＣ車載機５０に装着されているときは、例えばＥＴＣシステムが利用可能な施設を優先的にリストの先頭から表示するとともに、ＥＴＣ利用可能であることを知らせるためのアイコンを表示することにより、ナビゲーション装置１０の施設検索結果からＥＴＣ利用可能な施設を容易に把握できるようにする。【選択図】        図１
2007132724.tif 000002
【特許請求の範囲】
【請求項１】
料金収受システムを利用可能な施設か否かを示すフラグ情報を含んだ施設情報を記憶した施設情報記憶部と、
上記施設情報記憶部に上記施設情報として記憶されている施設の中から、入力された条件に合致する１以上の施設を検索する施設検索部と、
上記料金収受システムで利用する情報記憶カードが車載機に装着されているか否かを判定する装着判定部による判定の結果に応じて、上記施設検索部により検索された１以上の施設の提示方法を変更して、上記１以上の施設を提示する施設提示部とを備えたことを特徴とするナビゲーション装置。
【請求項２】
上記施設提示部は、上記装着判定部により上記情報記憶カードが上記車載機に装着されていると判定されたときに、上記施設検索部により検索された１以上の施設を、上記フラグ情報により上記料金収受システムを利用可能であることが示されている施設から順番に提示することを特徴とする請求項１に記載のナビゲーション装置。
【請求項３】
上記施設提示部は、上記装着判定部により上記情報記憶カードが上記車載機に装着されていると判定されたときに、上記施設検索部により検索された１以上の施設を所定の順番で提示するとともに、上記料金収受システムを利用可能な施設のみを提示させるためのボタンを提示し、当該ボタンが操作されたときに、上記フラグ情報により上記料金収受システムを利用可能であることが示されている施設のみを提示することを特徴とする請求項１に記載のナビゲーション装置。
【請求項４】
施設情報記憶部に施設情報として記憶されている施設の中から、入力された条件に合致する１以上の施設をナビゲーション装置の施設検索部によって検索する第１のステップと、
上記ナビゲーション装置に車載機から送られてくる情報に基づいて、情報記憶カードが上記車載機に装着されているか否かを上記ナビゲーション装置によって判定する第２のステップと、
上記第２のステップで上記情報記憶カードが上記車載機に装着されていると判定されたときに、上記ナビゲーション装置の施設提示部が、上記第１のステップで検索された１以上の施設を、上記施設情報記憶部に上記施設情報の属性情報として記憶されているフラグ情報によって料金収受システムを利用可能であることが示されている施設から順番に提示する第３のステップとを有することを特徴とする施設検索方法。
【請求項５】
施設情報記憶部に施設情報として記憶されている施設の中から、入力された条件に合致する１以上の施設をナビゲーション装置の施設検索部によって検索する第１のステップと、
上記ナビゲーション装置に車載機から送られてくる情報に基づいて、情報記憶カードが上記車載機に装着されているか否かを上記ナビゲーション装置によって判定する第２のステップと、
上記第２のステップで上記情報記憶カードが上記車載機に装着されていると判定されたときに、上記ナビゲーション装置の施設提示部が、上記第１のステップで検索された１以上の施設を所定の順番で提示するとともに、料金収受システムを利用可能な施設のみを提示させるためのボタンを提示する第３のステップと、
上記第３のステップで提示されたボタンが操作されたときに、上記施設提示部が、上記施設情報記憶部に上記施設情報の属性情報として記憶されているフラグ情報によって上記料金収受システムを利用可能であることが示されている施設のみを提示する第４のステップとを有することを特徴とする施設検索方法。
【発明の詳細な説明】
【技術分野】
【０００１】
本発明はナビゲーション装置および施設検索方法に関し、特に、入力された条件に合致する１以上の施設を検索して提示する機能を備えたナビゲーション装置に用いて好適なものである。
【背景技術】
【０００２】
従来、有料道路の料金所における渋滞の緩和やキャッシュレス決済による利便性の向上等を目的として、料金所ゲートに設置されたアンテナ（ＥＴＣ路上機）とＥＴＣ車載機との間で路車間通信を行うことによって自動的に通行料金を決済するＥＴＣ（Electronic Toll Collection）システムが実用化されている。
【０００３】
このＥＴＣシステムに関しては、有料道路のみならず、その他の施設でもＥＴＣカードを利用して料金徴収するシステムの開発が計画されている。そのために今後は、ＥＴＣシステムがより普及し、より広い分野・用途への応用が進んでいくことが確実視されている。例えば、駐車場の出口ゲートに設置されたアンテナとＥＴＣ車載機との間で路車間通信を行うことによって、駐車料金の支払を自動的に行うようにしたシステムも提案されている（例えば、特許文献１参照）
【特許文献１】特開２００３−１９６７８９号公報
【０００４】
一方、近年普及しているナビゲーション装置の中には、他の車載機と連動して所要の機能を実現するものも存在する。ＥＴＣ機能もその一つである。例えば、車両が有料道路の料金所付近に近づくと、ＥＴＣシステムが利用できるレーンをナビゲーション画面に自動的に表示する機能が存在する。また、ＥＴＣ車載機において支払いの履歴をデータとして保持しており、このデータをナビゲーション装置に送ることにより、画面上に一定数の支払い履歴を表示する機能もある。
【０００５】
また、ナビゲーション装置によって設定された誘導経路に従って車両が料金所の入口ゲートを通過するときに、ＩＣカードが車載機に装着されていないと判定すると、乗員に対してＩＣカードを車載機に挿入するように、スピーカから合成音声を発するようにした技術も提案されている（例えば、特許文献２参照）。
【特許文献２】特開平８−２２５９４号公報
【０００６】
また、上記特許文献１では、駐車場、高速道路等の有料道路、フェリーのターミナル、ガソリンスタンド、洗車スタンド、ドライブイン、ファーストフード店等のドライブスルー、モーテル、ドライブインシアターなどの施設にＥＴＣ路上機を設け、当該ＥＴＣ路上機からＥＴＣ車載機に対する通信において、ナビゲーション装置にて利用可能な現在位置情報を併せて送信することにより、ナビゲーション装置における自車位置の検出精度の向上を図っている。
【０００７】
このように、有料道路の料金所だけでなく、それ以外の施設に対してもＥＴＣシステムの応用が進んできており、有料道路の料金所以外の施設に関しても、ナビゲーション装置とＥＴＣ車載機との連動機能が提供されつつある。しかしながら、様々な施設にＥＴＣシステムが普及していっても、全ての施設でＥＴＣシステムが利用可能となる訳ではない。この場合、ＥＴＣ車載機を車両に搭載したユーザは、ＥＴＣシステムを利用可能な施設を選んで利用したいと考えることが予想される。ところが、従来の技術では、どの施設がＥＴＣシステムを利用できるのかを判断することができないという問題があった。
【発明の開示】
【発明が解決しようとする課題】
【０００８】
本発明は、このような実情に鑑みて成されたものであり、どの施設がＥＴＣシステムを利用できるのかを容易に判断できるようにすることを目的とする。
【課題を解決するための手段】
【０００９】
上記した課題を解決するために、本発明では、料金収受システムで利用する情報記憶カードが車載機に装着されているか否かを判定し、その判定の結果に応じて、施設検索部により検索された１以上の施設の提示方法を変更して、当該１以上の施設を提示する。その際、情報記憶カードが車載機に装着されていると判定されたときは、料金収受システムを利用可能な施設が容易に識別可能な態様で１以上の施設を提示する。
【００１０】
例えば、情報記憶カードが車載機に装着されていると判定されたときに、施設検索部により検索された１以上の施設を、料金収受システムが利用可能な施設から順番に提示する。または、情報記憶カードが車載機に装着されていると判定されたときに、施設検索部により検索された１以上の施設を所定の順番で提示するとともに、施設の絞り込みボタンを提示する。そして、当該ボタンが操作されたときに、料金収受システムが利用可能な施設のみに絞り込んで提示する。
【発明の効果】
【００１１】
上記のように構成した本発明によれば、料金収受システムを利用するための情報記憶カードが車載機に装着されているときには、料金収受システムを利用可能な施設がユーザに識別可能な態様で提示されることとなるので、ユーザは、どの施設が料金収受システムを利用できるのかを容易に判断することができるようになる。
【発明を実施するための最良の形態】
【００１２】
以下、本発明の一実施形態を図面に基づいて説明する。図１は、本実施形態のナビゲーション装置を用いた施設検索システムの構成例を示す図である。図１に示すように、施設検索システムは、ナビゲーション装置１０とＥＴＣ車載機５０とを備えて構成されている。ナビゲーション装置１０とＥＴＣ車載機５０の双方とも、車両に搭載されている。
【００１３】
ＥＴＣ車載機５０は、有料道路の料金所、駐車場、ガソリンスタンド、デパート等の様々な施設における入口ゲートまたは出口ゲートに設置された図示しないアンテナ（ＥＴＣ路上機）との間で路車間通信を行うことによって、自動的に料金を決済するようにしたものである。
【００１４】
ＥＴＣ車載機５０の内部構成において、５１はリーダライタであり、料金残額等の情報が格納されたＩＣカード（本発明の料金収受システムで利用する情報記憶カードに相当し、以下ではこれをＥＴＣカードという）１００が着脱可能に構成されている。このリードライタ５１は、車両ナンバー等からなるＩＤコードや車種情報等の固定データを記憶した記憶回路と、リーダライタ５１に装着されたＥＴＣカード１００の料金残高情報を参照したり、ＥＴＣカード１００に料金残額情報の書き込んだりする制御回路とを備えている。
【００１５】
このリーダライタ５１に設けられたＥＴＣカード１００の挿入口の奥には、メカニカルスイッチ（図示せず）が設置されている。このメカニカルスイッチは、リーダライタ５１へのＥＴＣカード１００の着脱に応じてオン／オフする。すなわち、リーダライタ５１の内部に設置された挿入ガイド板に沿ってＥＴＣカード１００を挿入すると、メカニカルスイッチの可動部がＥＴＣカード１００によって押圧されて移動し、メカニカルスイッチはオンとなる。また、ＥＴＣカード１００を挿入口から引き抜くと、図示しないリターンスプリングにより可動部は逆方向に戻り、メカニカルスイッチはオフとなる。
【００１６】
５２は装着判定部であり、ＥＴＣカード１００がＥＴＣ車載機５０のカード挿入口に装着されているか否かを判定する。具体的には、上述のメカニカルスイッチのオン／オフを検出する。そして、リーダライタ５１のメカニカルスイッチがオンのときはＥＴＣカード１００がＥＴＣ車載機５０に装着されていると判定し、メカニカルスイッチがオフのときはＥＴＣカード１００がＥＴＣ車載機５０に装着されていないと判定する。
【００１７】
５３は送受信回路、５４はアンテナ、５５は信号処理回路である。送受信回路５３は、ＥＴＣ路上機から送信された信号をアンテナ５４を介して受信し、受信した信号を検波してデータ信号を得る。そして、このようにして得たデータ信号を信号処理回路５５に供給する。信号処理回路５５は、送受信回路５３より供給されたデータ信号を用いて所定の信号処理を行い、ＩＤコードを含むデータ信号を応答信号として送受信回路５３に返す。送受信回路５３は、信号処理回路５５から供給された応答信号を、アンテナ５４を介してＥＴＣ路上機に送信する。
【００１８】
５６は通信インタフェース部であり、ナビゲーション装置１０との間でデータ通信を行う。具体的には、ナビゲーション装置１０からの問い合わせに応答して、装着判定部５２での判定結果を示すデータをナビゲーション装置１０に送信する。
【００１９】
次いで、ナビゲーション装置１０の構成において、１１はＤＶＤ−ＲＯＭ等の地図記録媒体であり、地図表示や経路探索等に必要な各種の地図データを記憶している。ここでは地図データを記憶する記録媒体としてＤＶＤ−ＲＯＭ１１を用いているが、ＣＤ−ＲＯＭ、ハードディスク、半導体メモリ等の他の記録媒体を用いても良い。１２はＤＶＤ−ＲＯＭ制御部であり、ＤＶＤ−ＲＯＭ１１からの地図データの読み取りを制御する。
【００２０】
ＤＶＤ−ＲＯＭ１１に記録された地図データには、地図表示に必要な各種のデータから成る背景レイヤおよび文字・記号レイヤと、マップマッチングや経路探索、経路案内などの各種の処理に必要なデータから成る道路レイヤと、交差点の詳細データから成る交差点レイヤと、地図上に存在する各種施設に関するデータから成る施設レイヤとが含まれている。
【００２１】
施設レイヤには、有料道路の料金所、駐車場、ガソリンスタンド、コンビニエンスストア、レストラン、銀行、デパート等の地図上に存在する施設のそれぞれ毎に、施設名、位置データ（経度・緯度）、住所、電話番号、その施設が属するジャンル、その施設に対応するランドマークを特定するためのシンボルコードなどから成る施設情報が含まれている。この施設情報には、ＥＴＣシステムを利用可能な施設か否かを示すフラグ情報も含まれている。
【００２２】
１３は車両の現在位置を測定する位置測定装置であり、自立航法センサ、ＧＰＳ受信機、位置計算用ＣＰＵ等で構成されている。自立航法センサは、所定走行距離毎に１個のパルスを出力して車両の移動距離を検出する車速センサ（距離センサ）と、車両の回転角度（移動方位）を検出する振動ジャイロ等の角速度センサ（相対方位センサ）とを含んでいる。自立航法センサは、これらの車速センサおよび角速度センサによって車両の相対位置および方位を検出する。
【００２３】
位置計算用ＣＰＵは、自立航法センサから出力される自車の相対的な位置および方位のデータに基づいて、絶対的な自車位置（推定車両位置）および車両方位を計算する。また、ＧＰＳ受信機は、複数のＧＰＳ衛星から送られてくる電波をＧＰＳアンテナで受信して、３次元測位処理あるいは２次元測位処理を行って車両の絶対位置および方位を計算する（車両方位は、現時点における自車位置と１サンプリング時間ΔＴ前の自車位置とに基づいて計算する）。
【００２４】
１４は地図情報メモリ（本発明の施設情報記憶部に相当）であり、ＤＶＤ−ＲＯＭ制御部１２の制御によってＤＶＤ−ＲＯＭ１１から読み出された地図データを一時的に格納する。１５はリモコンやタッチパネル等の操作部であり、ユーザがナビゲーション装置１０に対して各種の情報（例えば、経路誘導の目的地）を設定したり、各種の操作（例えば、メニュー選択操作、拡大／縮小操作、手動地図スクロール、数値入力など）を行ったりするための各種操作子（ボタンやジョイスティック等）を備えている。
【００２５】
１６はプロセッサ（ＣＰＵ）であり、ナビゲーション装置１０の全体を制御する。１７はＲＯＭであり、各種プログラム（誘導経路探索プログラム、施設検索プログラムなど）を記憶する。１８はＲＡＭであり、各種処理の過程で得られるデータや、各種処理の結果得られるデータを一時的に格納する。
【００２６】
上述のＣＰＵ１６は、例えば、ＲＯＭ１７に記憶されている誘導経路探索プログラムに従って、地図情報メモリ１４に格納された地図データを用いて、現在地から目的地までを結ぶコストが最も小さな誘導経路を探索する処理を行う。また、このＣＰＵ１６は、ＲＯＭ１７に記憶されている施設検索プログラムに従って、施設の検索処理も行う。施設の検索は、例えば、誘導経路の目的地を設定する際に行われる。この施設検索処理の詳細な内容については後述する。
【００２７】
１９は誘導経路メモリであり、ＣＰＵ１６が探索した誘導経路のデータを記憶する。誘導経路のデータは、現在地から目的地まで至る各ノードに対応させて、各ノードの位置と、各ノードが交差点か否かを表す交差点識別フラグとを記憶したものである。
【００２８】
２０はディスプレイコントローラであり、地図情報メモリ１４に格納された地図データに基づいて、表示装置２６への表示に必要な地図画像データを生成する。２１はビデオＲＡＭであり、ディスプレイコントローラ２０によって生成された地図画像データを一時的に格納する。すなわち、ディスプレイコントローラ２１によって生成された地図画像データはビデオＲＡＭ２１に一時的に格納され、１画面分の地図画像データが読み出されて画像合成部２５に出力される。
【００２９】
２２はメニュー発生部であり、操作部１５を用いて各種の操作を行う際に必要なメニュー画像や、ＣＰＵ１６によって検索された施設のリスト画像を発生して出力する。２３は誘導経路発生部であり、誘導経路メモリ１９に記憶された経路探索処理の結果を使用して、誘導経路の描画データを発生する。すなわち、誘導経路メモリ１９に記憶された誘導経路データの中から、その時点でビデオＲＡＭ２１に描画された地図エリアに含まれるものを選択的に読み出し、地図画像に重ねて他の道路と異なる所定色で太く強調した誘導経路を描画する。
【００３０】
２４はマーク発生部であり、マップマッチング処理された後の自車位置に表示する車両位置マークや、ガソリンスタンドやコンビニエンスストア等を表示する各種ランドマーク等を発生して出力する。なお、マップマッチング処理とは、地図情報メモリ１４に読み出されている地図データと、位置測定装置１３によって測定されたＧＰＳ受信機による自車位置および車両方位のデータと、自立航法センサによる推定車両位置および車両方位のデータとを用いて、自車の走行位置を地図データの道路上に位置修正する処理のことを言う。
【００３１】
２５は画像合成部であり、各種画像を合成して出力する。すなわち、ディスプレイコントローラ２１により読み出された地図画像データに対して、メニュー発生部２２、誘導経路発生部２３、マーク発生部２４のそれぞれから出力される各画像データを重ねて画像合成を行い、合成した画像データを表示装置２６に出力する。これにより、表示装置２６の画面上には、自車周辺の地図情報が車両位置マークや各種ランドマーク等と共に表示される。また、施設の検索処理実行時には、検索された１以上の施設のリスト画像が表示される。
【００３２】
２７は通信インタフェース部であり、ＥＴＣ車載機５０との間でデータ通信を行う。具体的には、ナビゲーション装置１０からの問い合わせに応答してＥＴＣ車載機５０から返されてくる、装着判定部５２での判定結果を示すデータを受信する。
【００３３】
ここで、ＣＰＵ１６が行う施設検索処理の詳細について説明する。ＣＰＵ１６は、その機能構成として、本発明の施設検索部と施設提示部とを備えている。すなわち、ＣＰＵ１６は、地図情報メモリ１４に施設情報として記憶されている複数の施設の中から、操作部１５の操作を通じて入力された条件に合致する１以上の施設を検索する。
【００３４】
一般に、ナビゲーション装置１０において施設を検索する方法として、様々な方法が提供されている。例えば、施設名を５０音で入力して検索する５０音検索や、電話番号を入力して検索する電話番号検索、住所を入力して検索する住所地検索、施設ジャンルを入力して検索するジャンル検索、現在の自車位置周辺にある施設を検索する周辺地検索などがある。ＣＰＵ１６が行う施設検索は、これらの何れにも対応している。
【００３５】
これらの検索手法のうち、５０音検索、電話番号検索、住所地検索は、それぞれ操作部１５の操作を通じて５０音、電話番号、住所を条件として入力し、その条件に合致する施設を検索する。これらの検索の結果として抽出される施設は１つのみである。これに対して、ジャンル検索と周辺地検索は、操作部１５の操作を通じて施設ジャンルを条件として入力し、そのジャンルに属する施設を検索する。これらの検索の結果として抽出される施設は１つ以上である。
【００３６】
本発明の施設検索部として機能するＣＰＵ１６は、上述した何れの検索手法を適用することも可能であるが、検索の結果として１つ以上の施設がリストとして抽出されるジャンル検索や周辺地検索に適用するのが、より好ましい。また、本発明の施設提示部として機能するＣＰＵ１６は、ジャンル検索または周辺地検索により検索された１以上の施設を表示装置２６にリスト表示するように、メニュー発生部２２を制御する。その際ＣＰＵ１６は、装着判定部５２による判定の結果に応じて、検索された１以上の施設の表示方法を変更する。
【００３７】
すなわち、装着判定部５２によってＥＴＣカード１００がＥＴＣ車載機５０のカード挿入口に装着されていないと判定され、そのことを表すデータをＣＰＵ１６がＥＴＣ車載機５０から受け取ったときには、ＣＰＵ１６は、検索された１以上の施設を通常の順番で表示するようにメニュー発生部２２を制御する。通常の順番とは、例えば、施設名称の５０音順または現在の自車位置から施設までの距離が近い順である。
【００３８】
一方、装着判定部５２によってＥＴＣカード１００がＥＴＣ車載機５０のカード挿入口に装着されていると判定され、そのことを表すデータをＣＰＵ１６がＥＴＣ車載機５０から受け取ったときには、ＣＰＵ１６は、検索された１以上の施設を、ＥＴＣシステムを利用可能な施設が容易に識別可能な態様で表示するようにメニュー発生部２２を制御する。具体的には、検索された１以上の施設を、施設情報に含まれているフラグ情報によってＥＴＣシステムを利用可能であることが示されている施設から順番にリスト表示する。
【００３９】
次に、以上のように構成したナビゲーション装置１０による施設検索動作について説明する。図２は、ＣＰＵ１６によって行われる施設検索処理の手順の一例を示すフローチャートである。また、図３は、この施設検索処理の際に表示装置２６に表示される画面の遷移例を示す図である。
【００４０】
図２において、ＣＰＵ１６は、地図情報メモリ１４に施設情報として記憶されている複数の施設の中から、操作部１５の操作を通じて入力された条件に合致する１以上の施設を検索する（ステップＳ１）。ここでは、一例としてジャンル検索を行うものとする。例えば、図３（ａ）および（ｂ）に示されるように、メニュー発生部２２の制御により表示装置２６に表示されるメニュー画面を通じて、東京都に存在する駐車場を検索したとする。
【００４１】
次に、ＣＰＵ１６は、ＥＴＣ車載機５０から送られてくる装着判定部５２の判定結果を表すデータに基づいて、ＥＴＣカード１００がＥＴＣ車載機５０に装着されているか否かを判定する（ステップＳ２）。ここで、ＥＴＣカード１００がＥＴＣ車載機５０に装着されていないと判断したときは、ＣＰＵ１６は、メニュー発生部２２を制御して、ステップＳ１で検索された１以上の施設を通常の順番で表示する（ステップＳ３）。例えば、図３（ｃ）に示すように、現在の自車位置から施設までの距離が近い順に１以上の施設をリスト表示する。
【００４２】
一方、ＥＴＣカード１００がＥＴＣ車載機５０に装着されていると判断したときは、ＣＰＵ１６は、メニュー発生部２２を制御して、ステップＳ１で検索された１以上の施設のうち、ＥＴＣシステムが利用可能な施設を優先的にリストの先頭から順番に表示し、ＥＴＣシステムが利用できないその他の施設をその後に続けて表示する（ステップＳ４）。このとき、図３（ｄ）に示すように、ＥＴＣシステムを利用可能な施設については、「ＥＴＣ可能」と書かれたアイコン３１を施設名の近傍に表示することによって、その施設がＥＴＣシステムを利用可能かどうかを容易に識別可能にする。
【００４３】
図４は、ＣＰＵ１６によって行われる施設検索処理の手順に関する他の例を示すフローチャートである。また、図５は、この施設検索処理の際に表示装置２６に表示される画面の他の遷移例を示す図である。
【００４４】
図４において、ＣＰＵ１６は、地図情報メモリ１４に施設情報として記憶されている複数の施設の中から、操作部１５の操作を通じて入力された条件に合致する１以上の施設を検索する（ステップＳ１１）。ここでは、一例としてジャンル検索を行うものとする。例えば、図５（ａ）および（ｂ）に示されるように、メニュー発生部２２の制御により表示装置２６に表示されるメニュー画面を通じて、東京都に存在する駐車場を検索したとする。
【００４５】
次に、ＣＰＵ１６は、ＥＴＣ車載機５０から送られてくる装着判定部５２の判定結果を表すデータに基づいて、ＥＴＣカード１００がＥＴＣ車載機５０に装着されているか否かを判定する（ステップＳ１２）。ここで、ＥＴＣカード１００がＥＴＣ車載機５０に装着されていないと判断したときは、ＣＰＵ１６は、メニュー発生部２２を制御して、ステップＳ１１で検索された１以上の施設を通常の順番で表示する（ステップＳ１３）。例えば、図５（ｃ）に示すように、現在の自車位置から施設までの距離が近い順に１以上の施設をリスト表示する。
【００４６】
一方、ＥＴＣカード１００がＥＴＣ車載機５０に装着されていると判断したときは、ＣＰＵ１６は、メニュー発生部２２を制御して、ステップＳ１１で検索された１以上の施設を通常の順番で表示するとともに、ＥＴＣシステムが利用可能な施設のみを絞り込み表示させるためのボタンを表示する（ステップＳ３）。例えば、図５（ｄ）に示すように、現在の自車位置から施設までの距離が近い順に１以上の施設をリスト表示するとともに、「ＥＴＣ可能」と書かれた絞り込みボタン３２を表示する。
【００４７】
次に、ＣＰＵ１６は、操作部１５の操作を通じて絞り込みボタン３２が押されたか否かを判定する（ステップＳ１５）。ここで、絞り込みボタン３２が押されたと判断したときに、ＣＰＵ１６は、ステップＳ１１で検索された１以上の施設の中から、施設情報に含まれているフラグ情報によってＥＴＣシステムを利用可能であることが示されている施設のみを抽出する。そして、メニュー発生部２２を制御して、その抽出した施設のみを図５（ｅ）のようにリスト表示する（ステップＳ１６）。
【００４８】
なお、ＣＰＵ１６は、絞り込みボタン３２が押されていないと判断した場合には、その他の処理を実行する（ステップＳ１７）。すなわち、絞り込みボタン３２以外のボタンが押されたときには、その押されたボタンに対応する処理を実行する。
【００４９】
以上詳しく説明したように、本実施形態によれば、ＥＴＣカード１００がＥＴＣ車載機５０に装着されているか否かを判定し、その判定の結果に応じて、ＣＰＵ１６により検索された１以上の施設の表示方法を変更して、当該１以上の施設を画面表示する。その際、ＥＴＣカード１００がＥＴＣ車載機５０に装着されていると判断されたときは、ＥＴＣシステムを利用可能な施設が容易に識別可能な態様で１以上の施設を表示するようにしている。これにより、ＥＴＣシステムを利用可能な施設を、ナビゲーション装置１０の施設検索結果から容易に把握することができるようになる。
【００５０】
なお、上記実施形態では、入力された条件に合致する１以上の施設を検索してリストとして表示する例について説明したが、必ずしも検索結果をリスト表示する例には限定されない。例えば、検索された１以上の施設を、地図上の該当する位置にそれぞれアイコンで表示し、ＥＴＣシステムが利用可能な施設のアイコンと利用不可能な施設のアイコンとを区別して表示するようにしても良い。
【００５１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００５２】
本発明は、入力された条件に合致する１以上の施設を検索して提示する機能を備えたナビゲーション装置に有用である。
【図面の簡単な説明】
【００５３】
【図１】本実施形態のナビゲーション装置を用いた施設検索システムの構成例を示す図である。
【図２】本実施形態のＣＰＵによって行われる施設検索処理の手順の一例を示すフローチャートである。
【図３】本実施形態の施設検索処理の際に表示される画面の遷移例を示す図である。
【図４】本実施形態のＣＰＵによって行われる施設検索処理の手順に関する他の例を示すフローチャートである。
【図５】本実施形態の施設検索処理の際に表示される画面の他の遷移例を示す図である。
【符号の説明】
【００５４】
１０  ナビゲーション装置
１４  地図情報メモリ
１６  ＣＰＵ
２２  メニュー発生部
２６  表示装置
５０  ＥＴＣ車載機
５１  リーダライタ
５２  装着判定部
１００  ＥＴＣカード
【図１】
2007132724.tif 000003
【図２】
2007132724.tif 000004
【図３】
2007132724.tif 000005
【図４】
2007132724.tif 000006
【図５】
2007132724.tif 000007